(57)【要約】【課題】本願発明は接続速度が速い低消費電力で省エネルギーのコンセントを開示した。【解決手段】本体と通電プラグとを含み、前記通電プラグの中には接続解除装置が設けられ、前記通電プラグの右端面には通電板が固定的に設けられ、前記通電板の左端面には電線が通電できるように連結され、前記電線のもう一端が電器設備と接続され、前記通電板の右端面には通電ブロックが通電できるように取り付けられ、前記本体の中には二つの同じの電気接続空間が上下に設けられ、上下の前記電気接続空間の円周方向にはロック装置が設けられ、前記ロック装置と前記接続解除装置とが連結されることにより前記通電プラグと前記本体とが接続されてロックされることができ、前記電気接続空間の中には電気接続ブロックが回転できるように設けられている。【選択図】図１
2020205230.tif 000002
【特許請求の範囲】
【請求項１】
本体と通電プラグとを含み、
前記通電プラグの中には接続解除装置が設けられ、前記通電プラグの右端面には通電板が固定的に設けられ、前記通電板の左端面には電線が通電できるように連結され、前記電線のもう一端が電器設備と接続され、前記通電板の右端面には通電ブロックが通電できるように取り付けられ、
前記本体の中には二つの同じの電気接続空間が上下に設けられ、上下の前記電気接続空間の円周方向にはロック装置が設けられ、前記ロック装置と前記接続解除装置とが連結されることにより前記通電プラグと前記本体とが接続されてロックされることができ、前記電気接続空間の中には電気接続ブロックが回転できるように設けられ、前記電気接続ブロックには差し込み溝が設けられ、前記電気接続ブロックの右端面には押しブロックが固定的に設けられ、
前記電気接続空間の右側には電気接続装置が設けられ、前記押しブロックが前記電気接続装置と当接でき、且つ前記押しブロックが前記電気接続装置と前記差し込み溝との差し込みによる接続を制御することにより前記差し込み溝を通電させ、前記電気接続ブロックにはロック溝が設けられ、前記電気接続空間の前側には復帰装置が設けられ、前記ロック溝と前記復帰装置の差し込みによる連結は前記電気接続ブロックをロックでき、
前記通電プラグが前記電気接続ブロックに差し込まれた後、前記通電プラグを回転させ、前記ロック装置により前記通電プラグと前記本体とを接続させ、前記電気接続装置が前記通電プラグを通電させるため、電線により電気設備を通電させて使用できることを特徴とする接続速度が速い低消費電力で省エネルギーのコンセント。
【請求項２】
上側の前記電気接続ブロックには左右対称のダブル差込穴が設けられ、上側の前記通電ブロックと前記ダブル差込穴とが差し込みにより連結され、下側の前記電気接続ブロックにはスリー差込穴が設けられ、下側の前記通電ブロックと前記スリー差込穴とが差し込みにより連結され、且つ前記差し込み溝が前記ダブル差込穴と前記スリー差込穴とそれぞれ導電線により通電できるように連結されていることを特徴とする請求項１に記載の接続速度が速い低消費電力で省エネルギーのコンセント。
【請求項３】
前記接続解除装置は上下対称の押し溝を含み、
前記押し溝の右側には押し回転空間が連通するように設けられ、前記押し回転空間の中には押し回転ロッドが回転できるように設けられ、前記押し回転ロッドの左端が前記押し溝の中に延びており、前記押し回転ロッドと前記押し回転空間との間には回転バネが固定的に設けられ、
前記押し回転空間の右側には接続解除溝が連通するように設けられ、前記接続解除溝の中には接続解除スライドブロックがスライドできるように設けられ、前記接続解除スライドブロックのうち互いに近接する一端が前記押し回転ロッドとヒンジによって連結されていることを特徴とする請求項１に記載の接続速度が速い低消費電力で省エネルギーのコンセント。
【請求項４】
前記ロック装置は上下にずれた二つの弓形回転空間を含み、
前記弓形回転空間の中にはロックスライドブロックがスライドできるように設けられ、前記ロックスライドブロックの中と前記弓形回転空間との間には伸縮バネが固定的に設けられ、前記ロックスライドブロックの中にはロックスライド溝が設けられ、前記ロックスライド溝の中にはロック引っ掛かりブロックがスライドできるように設けられ、前記ロック引っ掛かりブロックと前記ロックスライド溝との間には圧縮バネが固定的に設けられ、前記ロックスライド溝と前記弓形回転空間との間には連通溝が連通するように設けられ、
前記弓形回転空間のうち前記ロックスライドブロックから離れた一端壁には固定ブロックが設けられ、前記固定ブロックは前記連通溝を貫通し前記ロックスライド溝の中に伸びることができることを特徴とする請求項１に記載の接続速度が速い低消費電力で省エネルギーのコンセント。
【請求項５】
前記電気接続装置は前記電気接続空間と連結した通電空間を含み、
前記通電空間の中には通電スライドブロックがスライドできるように設けられ、前記通電スライドブロックには第一復帰部品が上下対称に固定的に設けられ、前記通電スライドブロックの左端面には差し込み電気ブロックが通電できるように連結され、前記通電スライドブロックの右端面には接続電線が接続され、前記接続電線のもう一端が外部の商用交流電源と通電できるように連結され、
前記通電空間の中にはＬ型の回しロッドが回転できるように設けられ、前記回しロッドの左端が前記電気接続空間の中に延びており、且つ前記回しロッドの左端が前記押しブロックと当接でき、前記回しロッドの前端が前記通電スライドブロックの右端面と当接しており、前記回しロッドの右端面と前記通電空間との間にはトーションバネが固定的に設けられていることを特徴とする請求項１に記載の接続速度が速い低消費電力で省エネルギーのコンセント。
【請求項６】
前記復帰装置は前記電気接続空間と連通した復帰スライド穴を含み、
前記復帰スライド穴の中には復帰スライドブロックがスライドできるように設けられ、前記復帰スライドブロックは前記ロック溝と引っ掛かって連結されることができ、前記復帰スライドブロックの前端と前記復帰スライド穴との間には連結バネが固定的に設けられ、前記復帰スライドブロックの中には当接溝が設けられ、
前記復帰スライド穴の左側には制御空間が外部と連通するように設けられ、前記制御空間の中には制御ブロックがスライドできるように設けられ、前記制御ブロックの右端が前記当接溝の中に伸びており、前記制御ブロックの左端が外部空間に延びており、前記制御ブロックの前端面には第二復帰部品が固定的に設けられていることを特徴とする請求項１に記載の接続速度が速い低消費電力で省エネルギーのコンセント。
【発明の詳細な説明】
【技術分野】
【０００１】
本願発明は通電設備分野を取り上げて、具体的には接続速度が速い低消費電力で省エネルギーのコンセントである。
【背景技術】
【０００２】
伝統的な電気設備のプラグは差し込みによりコンセントと接続され、プラグをコンセントから離脱させることにより電気設備の電源が切られ、プラグをコンセントと接続させることにより電気設備が通電され、電器を使用した後、プラグを抜くには大きな力が必要であり、また差込口が防塵のデザインであるため、プラグを抜くにはさらに大きな力を入れなければならなく、こういう操作が面倒くさく、そして、簡単な差し込みによる接続は、電器を使用する時に、プラグが誤操作により引かれて抜かれてしまい、電源が切られることがよくあり、さらに電気設備が待機している時、プラグとコンセントとが電力を消耗し、本願発明は以上の問題を解決できる。
【先行技術文献】
【特許文献】
【０００３】
【特許文献１】中国特許出願公開第１０３６４７１９３号明細書
【発明の概要】
【発明が解決しようとする課題】
【０００４】
技術問題：伝統的なコンセントとプラグは、接続と離脱との操作が面倒くさく、両者の接続が安定しないため、電力使用の安定性が悪く、また、電器が待機時に電力を消費する。
【課題を解決するための手段】
【０００５】
上記の課題を解決するため、本願発明は以下の技術プランを採用する：本願発明の接続速度が速い低消費電力で省エネルギーのコンセントは、本体と通電プラグとを含み、前記通電プラグの中には接続解除装置が設けられ、前記通電プラグの右端面には通電板が固定的に設けられ、前記通電板の左端面には電線が通電できるように連結され、前記電線のもう一端が電器設備と接続され、前記通電板の右端面には通電ブロックが通電できるように取り付けられ、前記本体の中には二つの同じの電気接続空間が上下に設けられ、上下の前記電気接続空間の円周方向にはロック装置が設けられ、前記ロック装置と前記接続解除装置とが連結されることにより前記通電プラグと前記本体とが接続されてロックされることができ、前記電気接続空間の中には電気接続ブロックが回転できるように設けられ、前記電気接続ブロックには差し込み溝が設けられ、前記電気接続ブロックの右端面には押しブロックが固定的に設けられ、前記電気接続空間の右側には電気接続装置が設けられ、前記押しブロックが前記電気接続装置と当接でき、且つ前記押しブロックが前記電気接続装置と前記差し込み溝との差し込みによる接続を制御することにより前記差し込み溝を通電させ、前記電気接続ブロックにはロック溝が設けられ、前記電気接続空間の前側には復帰装置が設けられ、前記ロック溝と前記復帰装置の差し込みによる連結は前記電気接続ブロックをロックでき、
前記通電プラグが前記電気接続ブロックに差し込まれた後、前記通電プラグを回転させ、前記ロック装置により前記通電プラグと前記本体とを接続させ、前記電気接続装置が前記通電プラグを通電させるため、電線により電気設備を通電させて使用できる。
【０００６】
優選の技術プランとして、上側の前記電気接続ブロックには左右対称のダブル差込穴が設けられ、上側の前記通電ブロックと前記ダブル差込穴とが差し込みにより連結され、下側の前記電気接続ブロックにはスリー差込穴が設けられ、下側の前記通電ブロックと前記スリー差込穴とが差し込みにより連結され、且つ前記差し込み溝が前記ダブル差込穴と前記スリー差込穴とそれぞれ導電線により通電できるように連結されている。
【０００７】
優選の技術プランとして、前記接続解除装置は上下対称の押し溝を含み、前記押し溝の右側には押し回転空間が連通するように設けられ、前記押し回転空間の中には押し回転ロッドが回転できるように設けられ、前記押し回転ロッドの左端が前記押し溝の中に延びており、前記押し回転ロッドと前記押し回転空間との間には回転バネが固定的に設けられ、前記押し回転空間の右側には接続解除溝が連通するように設けられ、前記接続解除溝の中には接続解除スライドブロックがスライドできるように設けられ、前記接続解除スライドブロックのうち互いに近接する一端が前記押し回転ロッドとヒンジによって連結され、
前記接続解除溝と前記ロック装置とが引っ掛かって連結されることにより、前記通電プラグと前記本体とが接続されることができ、前記押し回転ロッドを押すことで前記接続解除溝と前記ロック装置とを離脱させることができ、これにより前記通電プラグと前記本体との接続が解除される。
【０００８】
優選の技術プランとして、前記ロック装置は上下にずれた二つの弓形回転空間を含み、前記弓形回転空間の中にはロックスライドブロックがスライドできるように設けられ、前記ロックスライドブロックの中と前記弓形回転空間との間には伸縮バネが固定的に設けられ、前記ロックスライドブロックの中にはロックスライド溝が設けられ、前記ロックスライド溝の中にはロック引っ掛かりブロックがスライドできるように設けられ、前記ロック引っ掛かりブロックと前記ロックスライド溝との間には圧縮バネが固定的に設けられ、前記ロックスライド溝と前記弓形回転空間との間には連通溝が連通するように設けられ、前記弓形回転空間のうち前記ロックスライドブロックから離れた一端壁には固定ブロックが設けられ、前記固定ブロックは前記連通溝を貫通し前記ロックスライド溝の中に伸びることができ、
前記ロック引っ掛かりブロックは前記接続解除溝と挿し込みにより連結されることができ、前記通電プラグと前記ロックスライドブロックとを連結させることにより、前記通電プラグが回転し前記ロックスライドブロックをともに回転させ、この時前記固定ブロックが前記ロックスライド溝の中に伸び、これにより前記押し回転ロッドが前記ロック引っ掛かりブロックを連動させて接続解除溝から離れさせることができなく、前記通電プラグが前記ロックスライドブロックから離脱することができなく、接続の安定性を保障する。
【０００９】
優選の技術プランとして、前記電気接続装置は前記電気接続空間と連結した通電空間を含み、前記通電空間の中には通電スライドブロックがスライドできるように設けられ、前記通電スライドブロックには第一復帰部品が上下対称に固定的に設けられ、前記通電スライドブロックの左端面には差し込み電気ブロックが通電できるように連結され、前記通電スライドブロックの右端面には接続電線が接続され、前記接続電線のもう一端が外部の商用交流電源と通電できるように連結され、前記通電空間の中にはＬ型の回しロッドが回転できるように設けられ、前記回しロッドの左端が前記電気接続空間の中に延びており、且つ前記回しロッドの左端が前記押しブロックと当接でき、前記回しロッドの前端が前記通電スライドブロックの右端面と当接しており、前記回しロッドの右端面と前記通電空間との間にはトーションバネが固定的に設けられ、
前記電気接続ブロックが回転し前記押しブロックにより前記回しロッドを回転連動させることができ、これにより差し込み電気ブロックが前記差し込み溝に差し込まれ、前記接続電線により前記差し込み溝を通電させる。
【００１０】
優選の技術プランとして、前記復帰装置は前記電気接続空間と連通した復帰スライド穴を含み、前記復帰スライド穴の中には復帰スライドブロックがスライドできるように設けられ、前記復帰スライドブロックは前記ロック溝と引っ掛かって連結されることができ、前記復帰スライドブロックの前端と前記復帰スライド穴との間には連結バネが固定的に設けられ、前記復帰スライドブロックの中には当接溝が設けられ、前記復帰スライド穴の左側には制御空間が外部と連通するように設けられ、前記制御空間の中には制御ブロックがスライドできるように設けられ、前記制御ブロックの右端が前記当接溝の中に伸びており、前記制御ブロックの左端が外部空間に延びており、前記制御ブロックの前端面には第二復帰部品が固定的に設けられ、前記復帰スライドブロックと前記ロック溝とが引っ掛かって連結されることにより前記電気接続ブロックの位置が固定され、右方へ前記制御ブロックを押すことで前記復帰スライドブロックと前記ロック溝とを離脱させることができ、これにより前記電気接続ブロックが自由に回転できる。
【発明の効果】
【００１１】
本願発明は通電プラグの回転により通電プラグの通電と非通電とを制御でき、操作が簡単であり、非通電時に、接続解除装置により電気設備とコンセントとの安定的な接続を保障でき、通電の操作と通電時の安定性に有利であり、また、電気設備とコンセントとが接続された時でも、通電プラグを非通電状態に維持することができ、これにより電器とコンセントとが接続された時の待機の時の電力の消耗を減らし、省エネルギーであり、環境に優しい。
【図面の簡単な説明】
【００１２】
下記に図１〜５をあわせて本願発明について詳しく説明し、便利に説明するために、下記の方向を以下のように規定する：図１は本願発明装置の正面図であり、以下に述べる上下左右前後の方向と図１の自身投影関係の上下左右前後の方向とが一致である。
【００１３】
【図１】図１は本願発明の接続速度が速い低消費電力で省エネルギーのコンセントの全体構成略図
【図２】図２は図１のＡ―Ａ方向の構成略図
【図３】図３は図２のＢの拡大構成略図
【図４】図４は図３のＣ―Ｃ方向の構成略図
【図５】図５は図３のＤ―Ｄ方向の構成略図
【発明を実施するための形態】
【００１４】
本願発明の接続速度が速い低消費電力で省エネルギーのコンセントは、主にコンセントの快速接続の通電作業に適用され、以下に付図を合わせて本願発明について詳しく説明する：
【００１５】
本願発明の前記接続速度が速い低消費電力で省エネルギーのコンセントは、本体１０と通電プラグ４７とを含み、前記通電プラグ４７の中には接続解除装置６０１が設けられ、前記通電プラグ４７の右端面には通電板５０が固定的に設けられ、前記通電板５０の左端面には電線５１が通電できるように連結され、前記電線５１のもう一端が電器設備と接続され、前記通電板５０の右端面には通電ブロック４８が通電できるように取り付けられ、前記本体１０の中には二つの同じの電気接続空間１１が上下に設けられ、上下の前記電気接続空間１１の円周方向にはロック装置６０２が設けられ、前記ロック装置６０２と前記接続解除装置６０１とが連結されることにより前記通電プラグ４７と前記本体１０とが接続されてロックされることができ、前記電気接続空間１１の中には電気接続ブロック１２が回転できるように設けられ、前記電気接続ブロック１２には差し込み溝２６が設けられ、前記電気接続ブロック１２の右端面には押しブロック３８が固定的に設けられ、前記電気接続空間１１の右側には電気接続装置６０３が設けられ、前記押しブロック３８が前記電気接続装置６０３と当接でき、且つ前記押しブロック３８が前記電気接続装置６０３と前記差し込み溝２６との差し込みによる接続を制御することにより前記差し込み溝２６を通電させ、前記電気接続ブロック１２にはロック溝２５が設けられ、前記電気接続空間１１の前側には復帰装置６０４が設けられ、前記ロック溝２５と前記復帰装置６０４の差し込みによる連結は前記電気接続ブロック１２をロックでき、
前記通電プラグ４７が前記電気接続ブロック１２に差し込まれた後、前記通電プラグ４７を回転させ、前記ロック装置６０２により前記通電プラグ４７と前記本体１０とを接続させ、前記電気接続装置６０３が前記通電プラグ４７を通電させるため、電線５１により電気設備を通電させて使用できる。
【００１６】
有益に、上側の前記電気接続ブロック１２には左右対称のダブル差込穴１４が設けられ、上側の前記通電ブロック４８と前記ダブル差込穴１４とが差し込みにより連結され、下側の前記電気接続ブロック１２にはスリー差込穴１３が設けられ、下側の前記通電ブロック４８と前記スリー差込穴１３とが差し込みにより連結され、且つ前記差し込み溝２６が前記ダブル差込穴１４と前記スリー差込穴１３とそれぞれ導電線２７により通電できるように連結されている。
【００１７】
有益に、前記接続解除装置６０１は上下対称の押し溝５８を含み、前記押し溝５８の右側には押し回転空間５５が連通するように設けられ、前記押し回転空間５５の中には押し回転ロッド５６が回転できるように設けられ、前記押し回転ロッド５６の左端が前記押し溝５８の中に延びており、前記押し回転ロッド５６と前記押し回転空間５５との間には回転バネ５７が固定的に設けられ、前記押し回転空間５５の右側には接続解除溝５２が連通するように設けられ、前記接続解除溝５２の中には接続解除スライドブロック５３がスライドできるように設けられ、前記接続解除スライドブロック５３のうち互いに近接する一端が前記押し回転ロッド５６とヒンジによって連結され、
前記接続解除溝５２と前記ロック装置６０２とが引っ掛かって連結されることにより、前記通電プラグ４７と前記本体１０とが接続されることができ、前記押し回転ロッド５６を押すことで前記接続解除溝５２と前記ロック装置６０２とを離脱させることができ、これにより前記通電プラグ４７と前記本体１０との接続が解除される。
【００１８】
有益に、前記ロック装置６０２は上下にずれた二つの弓形回転空間１５を含み、前記弓形回転空間１５の中にはロックスライドブロック１６がスライドできるように設けられ、前記ロックスライドブロック１６の中と前記弓形回転空間１５との間には伸縮バネ２２が固定的に設けられ、前記ロックスライドブロック１６の中にはロックスライド溝１７が設けられ、前記ロックスライド溝１７の中にはロック引っ掛かりブロック１８がスライドできるように設けられ、前記ロック引っ掛かりブロック１８と前記ロックスライド溝１７との間には圧縮バネ１９が固定的に設けられ、前記ロックスライド溝１７と前記弓形回転空間１５との間には連通溝２０が連通するように設けられ、前記弓形回転空間１５のうち前記ロックスライドブロック１６から離れた一端壁には固定ブロック２４が設けられ、前記固定ブロック２４は前記連通溝２０を貫通し前記ロックスライド溝１７の中に伸びることができ、
前記ロック引っ掛かりブロック１８は前記接続解除溝５２と挿し込みにより連結されることができ、前記通電プラグ４７と前記ロックスライドブロック１６とを連結させることにより、前記通電プラグ４７が回転し前記ロックスライドブロック１６をともに回転させ、この時前記固定ブロック２４が前記ロックスライド溝１７の中に伸び、これにより前記押し回転ロッド５６が前記ロック引っ掛かりブロック１８を連動させて接続解除溝５２から離れさせることができなく、前記通電プラグ４７が前記ロックスライドブロック１６から離脱することができなく、接続の安定性を保障する。
【００１９】
有益に、前記電気接続装置６０３は前記電気接続空間１１と連結した通電空間２９を含み、前記通電空間２９の中には通電スライドブロック３３がスライドできるように設けられ、前記通電スライドブロック３３には第一復帰部品３７が上下対称に固定的に設けられ、前記通電スライドブロック３３の左端面には差し込み電気ブロック３５が通電できるように連結され、前記通電スライドブロック３３の右端面には接続電線３２が接続され、前記接続電線３２のもう一端が外部の商用交流電源と通電できるように連結され、前記通電空間２９の中にはＬ型の回しロッド３０が回転できるように設けられ、前記回しロッド３０の左端が前記電気接続空間１１の中に延びており、且つ前記回しロッド３０の左端が前記押しブロック３８と当接でき、前記回しロッド３０の前端が前記通電スライドブロック３３の右端面と当接しており、前記回しロッド３０の右端面と前記通電空間２９との間にはトーションバネ３１が固定的に設けられ、
前記電気接続ブロック１２が回転し前記押しブロック３８により前記回しロッド３０を回転連動させることができ、これにより差し込み電気ブロック３５が前記差し込み溝２６に差し込まれ、前記接続電線３２により前記差し込み溝２６を通電させる。
【００２０】
有益に、前記復帰装置６０４は前記電気接続空間１１と連通した復帰スライド穴３９を含み、前記復帰スライド穴３９の中には復帰スライドブロック４０がスライドできるように設けられ、前記復帰スライドブロック４０は前記ロック溝２５と引っ掛かって連結されることができ、前記復帰スライドブロック４０の前端と前記復帰スライド穴３９との間には連結バネ４１が固定的に設けられ、前記復帰スライドブロック４０の中には当接溝４２が設けられ、前記復帰スライド穴３９の左側には制御空間４３が外部と連通するように設けられ、前記制御空間４３の中には制御ブロック４４がスライドできるように設けられ、前記制御ブロック４４の右端が前記当接溝４２の中に伸びており、前記制御ブロック４４の左端が外部空間に延びており、前記制御ブロック４４の前端面には第二復帰部品４５が固定的に設けられ、前記復帰スライドブロック４０と前記ロック溝２５とが引っ掛かって連結されることにより前記電気接続ブロック１２の位置が固定され、右方へ前記制御ブロック４４を押すことで前記復帰スライドブロック４０と前記ロック溝２５とを離脱させることができ、これにより前記電気接続ブロック１２が自由に回転できる。
【００２１】
以下に図１〜５を合わせて本願発明の使用手順を詳しく説明する：
【００２２】
使用時に、通電ブロック４８をスリー差込穴１３の位置に合わせ、通電プラグ３７が差し込み電気空間１１の中に差し込まれることにより、ロック引っ掛かりブロック１８が接続解除溝５２の中に伸びて通電プラグ４７とロックスライドブロック１６とを接続させ、この時通電プラグ４７が通電されていなく、そして通電プラグ４７を回転させてロックスライドブロック１６を連動させて回転させ、これにより固定ブロック２４がロックスライド溝１７の中に伸び、通電プラグ４７が回転した時、電気接続ブロック１２が通電プラグ４７に従って回転し、これにより上面で見ると押しブロック３８が回しロッド３０を押して時計回りに回転させ、これにより通電スライドブロック３３が左方へ移動し、差し込み電気ブロック３５と差し込み溝２６とを差し込みにより連結させ、これにより差し込み溝２６が通電され、導電線２７でスリー差込穴１３を通電させることにより、通電ブロック４８と電線５１を通電させ、電気設備に使用されることができ、この時復帰スライドブロック４０の後端がロック溝２５の中に伸び、電気接続ブロック１２の位置を固定し、差し込み電気ブロック３５と差し込み溝２６との安定的な接続を保障し、これにより電線５１が安定に通電でき、電気設備の電源を切る時、右方へ制御ブロック４４を押すことにより、復帰スライドブロック４０が前方へ移動しロック溝２５から離脱し、ロックスライドブロック１６が伸縮バネ２２の弾性復帰力により逆方向へ回転し、これにより電気接続ブロック１２と通電プラグ４７とを逆方向へ回転させて初期状態に戻らせ、これにより押しブロック３８と回しロッド３０とが離脱し、回しロッド３０がトーションバネ３１により初期位置に戻り、これにより差し込み電気ブロック３５と差し込み溝２６との接続状態を解除し、これによりスリー差込穴１３が通電しなくなり、これにより電気設備の電源を切り、通電プラグ４７と電気接続ブロック１２とを離脱させることなく通電状態を解除でき、また通電プラグ４７と電気接続ブロック１２との安定的な接続を保障し、次の通電使用に便利であり、通電プラグ４７を抜く時、押し回転ロッド５６を互いに対する方向へ押すことにより、二つの対向の接続解除ブロック５３が互いに背向けて移動し、ロック引っ掛かりブロック１８を押し動かして接続解除溝５２から離れさせ、そして左方へ通電プラグ４７を抜けばいいのである。
【００２３】
本願発明の有益効果は、本願発明は通電プラグの回転により通電プラグの通電と非通電とを制御でき、操作が簡単であり、非通電時に、接続解除装置により電気設備とコンセントとの安定的な接続を保障でき、通電の操作と通電時の安定性に有利であり、また、電気設備とコンセントとが接続された時でも、通電プラグを非通電状態に維持することができ、これにより電器とコンセントとが接続された時の待機の時の電力の消耗を減らし、省エネルギーであり、環境に優しい。
【００２４】
以上の方式により、本分野の技術者は本願発明の範囲内に作業方式により各種な変化を加えることができる。
【図１】
2020205230.tif 000003
【図２】
2020205230.tif 000004
【図３】
2020205230.tif 000005
【図４】
2020205230.tif 000006
【図５】
2020205230.tif 000007